(57)【特許請求の範囲】
【請求項１】
室内機と、前記室内機を空調運転するための第１設定温度を受け付ける指示情報受付手
段と、前記室内機が前記第１設定温度で空調運転されている時に前記第１設定温度を一時
的に変更するための第２設定温度を受け付ける設定温度受付手段と、入力された設定温度
に従って前記室内機に空調運転の指示を出力する制御手段と、前記第２設定温度による空調運転が終了してから所定期間だけ前記設定温度受付手段による設定温度の受付を禁止する受付禁止手段を備え、
前記設定温度受付手段が前記第２設定温度を受け付けた時、前記第１設定温度による空
調運転から前記第２設定温度による空調運転に一時的に切り替える空気調和機であって、
前記空気調和機は、
前記第２設定温度に基づいて前記空気調和機を運転する第１運転時間を決定する運転時
間決定手段を備え、
前記運転時間決定手段は、前記第２設定温度が入力された時に、前記室内機が冷房運転
中であれば前記第１設定温度よりも前記第２設定温度が低いほど、また、前記室内機が暖
房運転中であれば前記第１設定温度よりも前記第２設定温度が高いほど、前記第２設定温
度による空調運転時間である第１運転時間が短くなるように決定して出力し、
前記制御手段は、前記第１運転時間の期間は入力された前記第２設定温度で空調運転す
ることを特徴とする空気調和機。
【請求項２】
室内機と、前記室内機を空調運転するための第１設定温度を受け付ける指示情報受付手
段と、前記室内機が前記第１設定温度で空調運転されている時に前記第１設定温度を一時
的に変更するための第２設定温度を受け付ける設定温度受付手段と、入力された設定温度
に従って前記室内機に空調運転の指示を出力する制御手段とを備え、
前記設定温度受付手段が前記第２設定温度を受け付けた時、前記第１設定温度による空
調運転から前記第２設定温度による空調運転に一時的に切り替える空気調和機であって、
前記空気調和機は、
前記第２設定温度に基づいて前記空気調和機を運転する第１運転時間を決定する運転時
間決定手段を備え、
前記運転時間決定手段は、前記第２設定温度が入力された時に、前記室内機が冷房運転
中であれば前記第１設定温度よりも前記第２設定温度が低いほど、また、前記室内機が暖
房運転中であれば前記第１設定温度よりも前記第２設定温度が高いほど、前記第２設定温
度による空調運転時間である第１運転時間が短くなるように決定して出力し、
前記制御手段は、前記第１運転時間の期間は入力された前記第２設定温度で空調運転す
る空気調和機において、
前記室内機が前記第２設定温度による空調運転を実行している時に前記設定温度受付手
段により受け付けられた第３設定温度が前記運転時間決定手段に入力された時、
前記運転時間決定手段は、前記第１運転時間から前記第３設定温度入力時における前記
第２設定温度による空調運転の時間を差し引いて残時間を算出し、
前記室内機が冷房運転中であれば前記第１設定温度よりも前記第３設定温度が低いほど
、また、前記室内機が暖房運転中であれば前記第１設定温度よりも前記第３設定温度が高
いほど、算出した前記残時間を短くした前記第３設定温度による空調運転時間である第２
運転時間を決定して出力し、
前記制御手段は、前記第２運転時間の期間は入力された前記第３設定温度で空調運転す
ることを特徴とする空気調和機。
【請求項３】
前記空気調和機に、前記第２設定温度または前記第３設定温度による空調運転が終了してから所定期間だけ前記設定温度受付手段による設定温度の受付を禁止する受付禁止手段を設けたことを特徴とする請求項２に記載の空気調和機。
【発明の詳細な説明】
【技術分野】
【０００１】
本発明は、空気調和機に係わり、より詳細には、省エネ運転とユーザーの快適性とを両立させるための設定温度の管理に関する。
【背景技術】
【０００２】
従来、室内機の設定温度管理を行なう空気調和機としては、例えば特許文献１に示す暖房装置の温度制御装置が開示されている。この温度制御装置では、消費電力を削減して空気調和機を省エネ運転するために暖房装置の管理者が指示した設定温度で空調運転していても、ユーザーによる一時的な設定温度の変更が可能である。ユーザーによる設定温度の変更が行なわれた場合、暖房装置は予め決められた一定時間だけ変更された設定温度で空調運転し、一定時間が経過すると元の設定温度に自動復帰するものである。
【０００３】
また、特許文献２には、遠隔制御装置と複数の室外機と室内機とを備えた空気調和機のシステムが開示されている。そして遠隔制御装置は、室内機に対して設定温度を指示するようになっている。また、遠隔制御装置は、この遠隔制御装置から所定の操作で各室内機の温度設定範囲の上限／下限値を設定する上限／下限設定部を備えている。また、ユーザーは設定された温度設定の上限／下限値の範囲内でのみ設定温度を変更できるようになっており、ユーザーが設定できる温度範囲を制限することで効率的に省エネ運転ができるようになっている。
【０００４】
しかしながら、特許文献１の構成ではユーザーによる設定温度の変更による運転が固定時間であるため、この時間内では省エネに反する運転が行なわれる可能性があり、また、この固定時間の終了直後にユーザーによる設定温度の再設定が可能であるため、管理者から指示された設定温度でなく、ユーザーが設定した任意の設定温度で継続的に空調運転が可能となり、省エネ性に反するという問題があった。
【０００５】
さらに、特許文献２の構成では、省エネ性を考えた場合、設定温度に対する温度設定範囲の上限／下限値を小さくすることにより空気調和機の消費電力の削減を図れるが、その反面、ユーザーの快適性が大きく制限されるという問題があった。
【先行技術文献】
【特許文献】
【０００６】
【特許文献１】実開平５−８３６２４号公報（第４−５頁、図３）
【特許文献２】特開２００８−７５９８０号公報（第４頁、図１）
【発明の概要】
【発明が解決しようとする課題】
【０００７】
本発明は以上述べた問題点を解決し、管理者が指示した設定温度で省エネ運転中に、ユーザーにより設定温度が一時的に変更された後、所定時間が経過した時に変更された設定温度が元の設定温度に自動復帰する機能を備えた空気調和機において、省エネ性とユーザーの快適性とを両立させることを目的とする。
【課題を解決するための手段】
【０００８】
本発明は上述の課題を解決するため、本発明の請求項１に記載の発明は、室内機と、前記室内機を空調運転するための第１設定温度を受け付ける指示情報受付手
段と、前記室内機が前記第１設定温度で空調運転されている時に前記第１設定温度を一時
的に変更するための第２設定温度を受け付ける設定温度受付手段と、入力された設定温度
に従って前記室内機に空調運転の指示を出力する制御手段と、前記第２設定温度よる空調運転が終了してから所定期間だけ前記設定温度受付手段による設定温度の受付を禁止する受付禁止手段を備え、
前記設定温度受付手段が前記第２設定温度を受け付けた時、前記第１設定温度による空
調運転から前記第２設定温度による空調運転に一時的に切り替える空気調和機であって、
前記空気調和機は、
前記第２設定温度に基づいて前記空気調和機を運転する第１運転時間を決定する運転時
間決定手段を備え、
前記運転時間決定手段は、前記第２設定温度が入力された時に、前記室内機が冷房運転
中であれば前記第１設定温度よりも前記第２設定温度が低いほど、また、前記室内機が暖
房運転中であれば前記第１設定温度よりも前記第２設定温度が高いほど、前記第２設定温
度による空調運転時間である第１運転時間が短くなるように決定して出力し、
前記制御手段は、前記第１運転時間の期間は入力された前記第２設定温度で空調運転す
ることを特徴とする。
【０００９】
また、本発明の請求項２に記載の発明は、室内機と、前記室内機を空調運転するための第１設定温度を受け付ける指示情報受付手段と、前記室内機が前記第１設定温度で空調運転されている時に前記第１設定温度を一時的に変更するための第２設定温度を受け付ける設定温度受付手段と、入力された設定温度に従って前記室内機に空調運転の指示を出力する制御手段とを備え、
前記設定温度受付手段が前記第２設定温度を受け付けた時、前記第１設定温度による空
調運転から前記第２設定温度による空調運転に一時的に切り替える空気調和機であって、
前記空気調和機は、
前記第２設定温度に基づいて前記空気調和機を運転する第１運転時間を決定する運転時
間決定手段を備え、
前記運転時間決定手段は、前記第２設定温度が入力された時に、前記室内機が冷房運転
中であれば前記第１設定温度よりも前記第２設定温度が低いほど、また、前記室内機が暖
房運転中であれば前記第１設定温度よりも前記第２設定温度が高いほど、前記第２設定温
度による空調運転時間である第１運転時間が短くなるように決定して出力し、
前記制御手段は、前記第１運転時間の期間は入力された前記第２設定温度で空調運転す
る空気調和機において、
前記室内機が前記第２設定温度による空調運転を実行している時に前記設定温度受付手
段により受け付けられた第３設定温度が前記運転時間決定手段に入力された時、
前記運転時間決定手段は、前記第１運転時間から前記第３設定温度入力時における前記
第２設定温度による空調運転の時間を差し引いて残時間を算出し、
前記室内機が冷房運転中であれば前記第１設定温度よりも前記第３設定温度が低いほど
、また、前記室内機が暖房運転中であれば前記第１設定温度よりも前記第３設定温度が高
いほど、算出した前記残時間を短くした前記第３設定温度による空調運転時間である第２
運転時間を決定して出力し、
前記制御手段は、前記第２運転時間の期間は入力された前記第３設定温度で空調運転す
ることを特徴とする。
【００１０】
また、本発明の請求項３に記載の発明は、前記空気調和機に、前記第２設定温度または前記第３設定温度による空調運転が終了してから所定期間だけ前記設定温度受付手段による設定温度の受付を禁止する受付禁止手段を設けたことを特徴とする。
【発明の効果】
【００１１】
以上の各手段を用いることにより、本発明による空気調和機によれば、請求項１に係わる発明は、室内機が冷房運転中であれば第１設定温度よりも第２設定温度が低いほど、また、室内機が暖房運転中であれば第１設定温度よりも第２設定温度が高いほど第２設定温度による空調運転時間である第１運転時間が短くなるように運転時間決定部が決定して出力するため、快適性と省エネ性とを両立させることができる。
【００１２】
また、請求項２に係わる発明は、ユーザーにより入力された第２設定温度で空調運転中に、ユーザーにより第３設定温度が入力された場合でも快適性と省エネ性とを両立させることができる。
【００１３】
請求項３に係わる発明は、第２設定温度又は第３設定温度による空調運転が終了してから所定期間だけ、ユーザーが設定する設定温度の受付を禁止する受付禁止部を設けたため、ユーザーが設定する設定温度による継続的な空調運転を禁止して省エネ性が大きく損なわれないようにできる。
【図面の簡単な説明】
【００１４】
【図１】本発明による空気調和機の実施例を示すブロック図である。
【図２】本発明による管理装置と室内機とリモコンの実施例を示すブロック図である。
【図３】本発明による空気調和機の動作を説明する説明図である。
【図４】本発明による空気調和機の他の動作を説明する説明図である。
【発明を実施するための形態】
【００１５】
以下、本発明の実施の形態を、添付図面に基づいた実施例として詳細に説明する。なお、本発明による空気調和機の動作を管理装置２と室内機１０とリモコン１１を用いて説明しているが、室内機とリモコンの組み合わせが複数ある場合は管理装置２と他の室内機とリモコンでも同様の動作となる。
【実施例１】
【００１６】
図１は本発明による空気調和機１の実施例を示すブロック図である。
この空気調和機１は、管理装置２と、室内機１０、室内機３０、室外機４０と、各々の室内機に対して１台ずつ通信接続されたリモコン１１とリモコン３１が備えられている。また、各室内機と室外機４０は管理装置２と通信線３で接続され、管理装置２から指示される運転モードや設定温度からなる指示情報（例えば運転モード：冷房運転  設定温度：２８℃）に従って空調運転を行なう構成になっている。
【００１７】
一方、リモコン１１には表示部１２と操作部１３が備えられており、図示しないユーザーの操作によって操作部１３を介して入力された設定温度が表示部１２に表示されると共に、この設定温度が室内機１０に出力され、さらに室内機１０を介して管理装置２にも出力される。この時、管理装置２で指示された指示情報の設定温度で室内機１０が運転中であっても、ユーザーにより新たな設定温度がリモコン１１を介して入力された場合、室内機１０は管理装置２が室内機１０に指示した設定温度からユーザーにより入力された新たな設定温度に変更し、変更した新たな設定温度で一時的に空調運転する。管理装置２は新たな設定温度による室内機１０の空調運転時間を管理しており、新たな設定温度による空調運転時間が経過すると、ユーザーにより入力された新たな設定温度から管理装置２が指示していた指示情報の元の設定温度による空調運転を室内機１０に指示し、室内機１０はこの元の設定温度による空調運転を開始する。なお、この機能は室内機３０とリモコン３１でも同様に有している。
【００１８】
なお、この実施例では図示しない管理者により管理装置２に入力される指示情報の設定温度を第１設定温度、ユーザーによりリモコン１１から入力される設定温度を第２設定温度、さらに第２設定温度で空調運転中にユーザーによりリモコン１１から入力される設定温度を第３設定温度とそれぞれ呼称する。なお、第１設定温度と第２設定温度と第３設定温度はそれぞれ異なる温度とする。
【００１９】
図２は本発明による管理装置２と室内機１０とリモコン１１の実施例を示すブロック図である。
リモコン１１は、表示部１２とユーザーの操作を受け付ける操作部１３とリモコン１１の制御を行なうリモコン制御部１１ｃを備えている。そして、リモコン制御部１１ｃは、操作部１３を介して入力された第２設定温度又は第３設定温度を受け付ける設定温度受付部（設定温度受付手段）１１ａと、この設定温度受付部１１ａによる設定温度の受付を管理装置２からの指示により禁止／解除させる受付禁止部（受付禁止手段）１１ｂを備えている。なお、リモコン制御部１１ｃは室内機１０を介して管理装置２とデータの送受信を行なうことができる。
【００２０】
一方、管理装置２は、通信線３に接続され管理装置２を制御する制御部（制御手段）２１と、管理者の指示情報、たとえば第１設定温度や運転モードが入力される指示情報受付部（指示情報受付手段）２０と、指示情報受付部２０から出力された指示情報を記憶する指示情報記憶部（指示情報記憶手段）１９と、時間を計時するタイマー部１７と、ユーザーの操作によって入力される設定温度、つまり、設定温度受付部１１ａで受け付けた第２設定温度又は第３設定温度と指示情報記憶部１９が記憶している指示情報とに基づいて、第２設定温度又は第３設定温度にそれぞれ対応する空調運転時間である第１運転時間と第２運転時間を決定する運転時間決定部（運転時間決定手段）１６と、第１運転時間と第２運転時間を記憶する運転時間記憶部（運転時間記憶手段）１５とを備えている。
【００２１】
また、管理装置２は、第２設定温度又は第３設定温度にそれぞれ対応する第１運転時間と第２運転時間とを管理し、これらの運転時間が経過した時に指示情報受付部２０で受け付けた管理者による第１設定温度を制御部２１へ出力する運転時間管理部（運転時間管理手段）１８を備えている。
【００２２】
運転時間管理部１８は、冷房又は暖房運転に関して管理者によって入力された第１設定温度で室内機１０が空調運転中の場合、ユーザーによって入力された第２設定温度又は第３設定温度によるそれぞれの空調運転時間を管理する。運転時間管理部１８は、ユーザー操作により第２設定温度又は第３設定温度が設定温度受付部１１ａを介して入力され、さらにこれらの設定温度に対応する空調運転時間が運転時間決定部１６で決定されない限り、指示情報受付部２０で受け付けられた第１設定温度を制御部２１へ出力し、制御部２１はこの第１設定温度で室内機１０を空調運転する。
【００２３】
次に本発明による空気調和機１の動作について説明する。
管理者により管理装置２の指示情報受付部２０に指示情報（運転モード：冷房運転、第１設定温度：２８℃）が入力されると、指示情報受付部２０は、この指示情報を指示情報記憶部１９に記憶させる。指示情報記憶部１９に記憶された指示情報は運転時間管理部１８から読み出され、運転時間管理部１８は指示情報を制御部２１に出力し、制御部２１は入力された指示情報による空調運転を室内機１０へ指示する。室内機１０は指示された指示情報による空調運転を実行する。
【００２４】
このように室内機１０が第１設定温度で運転中の場合、ユーザーによってリモコン１１から入力された第２設定温度又は第３設定温度はリモコン１１から室内機１０へ出力され、室内機１０は第２設定温度又は第３設定温度で空調運転を開始する。また、室内機１０に入力された第２設定温度又は第３設定温度は、室内機１０を介して制御部２１に出力され、制御部２１は入力された第２設定温度又は第３設定温度を運転時間決定部１６へ出力する。
運転時間決定部１６は、第２設定温度又は第３設定温度にそれぞれ対応する第１運転時間又は第２運転時間を算出して運転時間管理部１８へ出力する。
【００２５】
運転時間管理部１８は運転時間決定部１６で決定された第１運転時間又は第２運転時間が入力されるとタイマー部１７に対して計時の開始を指示し、タイマー部１７は計時を開始する。運転時間管理部１８はタイマー部１７から計時した時間を逐次読み出し、読み出した時間が第１運転時間又は第２運転時間と等しくなった時、つまり、第１運転時間又は第２運転時間が経過した時、運転時間管理部１８は指示情報記憶部１９で記憶していた第１設定温度を制御部２１へ出力する。制御部２１は室内機１０に対して第１設定温度による空調運転を指示する。室内機１０はこれに対応して、それまでの第２設定温度又は第３設定温度から第１設定温度に変更して空調運転する。
【００２６】
また、運転時間管理部１８は、タイマー部１７で計時している時間により第１運転時間又は第２運転時間が経過したことを検出したら、ユーザーによって入力された第２設定温度又は第３設定温度での空調運転終了を示すユーザー指示運転終了の信号を制御部２１と室内機１０とを介してリモコン１１の受付禁止部１１ｂに出力し、受付禁止部１１ｂはこれに対応して設定温度受付部１１ａに対してユーザーによる設定温度の受付を禁止する指示を出力する。そして、受付禁止部１１ｂは、所定時間（１時間）の経過を待った後、次に設定温度受付部１１ａに対してユーザーによる設定温度の受付を許可する指示を出力する。このためユーザーにより入力された第２設定温度又は第３設定温度による空調運転が終了した場合、第１設定温度による空調運転に復帰しても所定時間の間、ユーザーは設定温度に関する操作をすぐに行なうことが出来ない構成になっている。なお、この設定温度の操作禁止の期間（所定時間）を次操作禁止期間と呼称する。
【００２７】
ユーザーによって入力された第２設定温度又は第３設定温度での空調運転が終了した直後の室温は第２設定温度又は第３設定温度となっている。そして、第２設定温度又は第３設定温度から第１設定温度に切り替えられた後、室温は徐々に変化して第１設定温度に到達する。従って第２設定温度又は第３設定温度での空調運転が終了してから第１設定温度に到達するまでのおおよその時間を所定時間とすることで、ユーザーの快適性と空気調和機１の省エネ性を両立させることができる。
【００２８】
一方、運転時間管理部１８は、室内機１０が管理者により入力された第１設定温度で運転中か、ユーザーにより入力された第２設定温度又は第３設定温度で運転中かを示す運転識別信号を常に運転時間決定部１６へ出力する。運転時間決定部１６は、この運転識別信号により後述する２つの運転時間の算出方法を選択する。また、運転時間管理部１８は、第１運転時間又は第２運転時間が経過するまでの時間、つまり、タイマー部１７で計時を開始してからの経過時間を運転時間決定部１６へ逐次出力する。なお、運転時間管理部１８は、第１運転時間又は第２運転時間が経過した場合、タイマー部１７の計時を停止させると共に、経過時間の値をゼロとして出力する。従って、経過時間がゼロの場合は第１設定温度による空調運転であり、経過時間がゼロ以外の場合は第２設定温度又は第３設定温度で運転中であると規定すれば、第１設定温度で運転中か第２設定温度又は第３設定温度で運転中かを区別する運転識別信号は特に必要ない。
【００２９】
一方、前述したように空気調和機１０は、次操作禁止期間でなければリモコン１１に入力された第２設定温度又は第３設定温度で空調運転を実行する。そして、第２設定温度又は第３設定温度が入力された運転時間決定部１６は、第２設定温度又は第３設定温度が第１設定温度よりも、空気調和機の消費電力が低減される温度であるか又は等しい温度である場合、第１運転時間と第２運転時間の決定を実行しない。このため、運転時間決定部１６から運転時間管理部１８へ第１運転時間又は第２運転時間が出力されない。
従って第２設定温度又は第３設定温度が第１設定温度よりも、空気調和機の消費電力が低減される温度であるか又は等しい温度である場合、運転時間管理部１８は制御部２１に第１設定温度を出力することがなく、室内機１０は第２設定温度又は第３設定温度での空調運転を運転時間の制限を受けることなく継続する。
【００３０】
例えば冷房運転時に管理者により入力された第１設定温度が２８℃の場合、ここでユーザーにより入力された第２設定温度が第１設定温度よりも高い２９℃だった時、運転時間決定部１６は入力された第２設定温度が第１設定温度よりも、空気調和機の消費電力が低減される温度であると判断し、第１運転時間の算出と運転時間管理部１８への出力を実行しない。このため、運転時間管理部１８は第２設定温度に対応する第１運転時間の計時と第１設定温度の制御部２１への出力と、受付禁止部１１ｂへのユーザー指示運転終了の通知を行なわない。
【００３１】
運転時間決定部１６は、ユーザーにより入力された設定温度による空調運転時間を決定するものであり、ユーザーにより入力された設定温度が入力される以前の設定温度よりも空気調和機１の消費電力が増加する温度に設定された場合、この設定された設定温度とそれ以前の設定温度との温度差に対応して今回設定された設定温度での空調運転時間を決定する。つまり、運転時間決定部１６は、このユーザーにより入力された設定温度とそれ以前の設定温度との温度差が小さい時の空調運転時間よりも、このユーザーにより入力された設定温度とそれ以前の設定温度との温度差が大きい時の空調運転時間を短くして出力する。
【００３２】
具体的に説明すると運転時間決定部１６は、第２設定温度又は第３設定温度が入力された時に室内機１０が冷房運転中であれば、第１設定温度よりも第２設定温度又は第３設定温度が低いほど、また、室内機１０が暖房運転中であれば第１設定温度よりも第２設定温度又は第３設定温度が高いほど空調運転時間を短くして出力する。
つまり、運転時間決定部１６は、第１設定温度と第２設定温度又は第３設定温度との温度差が小さい場合に決定する空調運転時間よりも、第１設定温度と第２設定温度又は第３設定温度との温度差が大きい場合に決定する運転時間を短くするように決定する。
なお、第２設定温度に対応する空調運転時間を第１運転時間、第３設定温度に対応する空調運転時間を第２運転時間と呼称する。
【００３３】
そして、運転時間決定部１６は、この決定した運転時間を運転時間管理部１８に出力すると共に、運転時間記憶部１５に記憶させる。
なお、前述したように、室内機１０が冷房運転中で第２設定温度が第１設定温度以上の場合と、室内機１０が暖房運転中で第２設定温度が第１設定温度以下の場合、運転時間決定部１６は運転時間の算出と出力を実行しない。
【００３４】
運転時間決定部１６は２つの運転時間を選択して求める。１つめは前述したように第１設定温度による空調運転が実行されている時、第２設定温度が入力された時に算出する第１運転時間であり、２つめは第２設定温度で空調運転が実行されている時に、第３設定温度が入力された時に算出する第２運転時間である。運転時間決定部１６は運転時間管理部１８から出力される運転識別信号が『第１設定温度で運転中』の場合、第１運転時間を、また、運転識別信号が『第２設定温度又は第３設定温度で運転中』の場合、第２運転時間をそれぞれ選択して求める。
なお、本実施例では第１設定温度と第２設定温度との温度差を第１温度差、第１設定温度と第３設定温度との温度差を第２温度差と呼称する。
【００３５】
本実施例では第１設定温度による空調運転が実行されている時に第２設定温度が入力された場合、運転時間決定部１６は、この第２設定温度で空調運転する時間を予め定めた条件から算出する。この予め定めた条件は、第１設定温度から基準となる温度差（１℃）である基準温度差だけ離れた設定温度によって空調運転した場合に、ユーザーに許された運転時間（６０分）を基準運転時間として規定している。なお、基準温度差に基準運転時間を乗じたものを快適量と呼称する。
【００３６】
まず最初に第１運転時間を求める方法を説明する。
第１設定温度による空調運転中に第２設定温度が入力されて、第２設定温度による空調運転に移行した場合、第２設定温度が入力された運転時間決定部１６は、第２設定温度による空調運転時間である第１運転時間を求めるために、運転時間決定部１６の内部に記憶されている下記の式１と式２を用いる。例えば室内機１０が冷房運転、第１設定温度が２８℃で第２設定温度が２６℃の場合、第１運転時間を３０分と算出する。
第１温度差＝｜第１設定温度−第２設定温度｜・・・・・式１
第１運転時間＝（１／第１温度差）×基準運転時間・・・・式２
【００３７】
続いて第２運転時間を求める方法を説明する。
第１設定温度による空調運転から第２設定温度による空調運転に移行し、さらに第２設定温度による空調運転中に第３設定温度が入力されて第３設定温度による空調運転に移行した場合、第３設定温度が入力された運転時間決定部１６は第３設定温度による空調運転時間である第２運転時間を求めるために、運転時間決定部１６の内部に記憶されている下記の式３〜式５を用いる。
第２温度差＝｜第１設定温度−第３設定温度｜・・・式３
残時間＝第１運転時間−経過時間  ・・・・・式４
第２運転時間＝（第１温度差／第２温度差）×残時間・・・・・式５
【００３８】
例えば室内機１０が冷房運転、第１設定温度が２８℃、第２設定温度が２６℃、第３設定温度が２７℃、第１運転時間が３０分、経過時間が２０分の場合、運転時間決定部１６は、式３〜式５を用いて第２運転時間を２０分と算出する。なお、運転時間決定部１６は前述したように運転時間管理部１８が逐次出力する経過時間と、運転時間記憶部１５に記憶している第１運転時間と、入力された第３設定温度を用いて第２運転時間を算出する。
【００３９】
図３は室内機１０が冷房運転中における設定温度の変化を説明する説明図であり、設定温度が、管理者により入力された第１設定温度による空調運転中にユーザーにより入力された第２設定温度に変更された例を説明している。図３において横軸は時間であり、縦軸は温度である。また、破線が第１設定温度を、実線が室温を、長破線が室内機１０の空調運転に適用される第１設定温度又は第２設定温度をそれぞれ示している。また、ｔ１〜ｔ３は時刻である。
【００４０】
図３の説明において、前提条件として設定温度受付部１１ａは受付操作禁止となっておらず、また、指示情報記憶部１９は指示情報受付部２０で受け付けられた指示情報である運転モード（冷房）と第１設定温度（２８℃）を記憶している。このため制御部２１は、ｔ１まで第１設定温度を室内機１０に指示し、室内機１０は第１設定温度で空調運転している。
【００４１】
この状態においてｔ１でユーザーによってリモコン１１に第２設定温度（２６℃）が入力された場合、受付禁止部１１ｂは受付許可の状態であるため、設定温度受付部１１ａはユーザーにより入力された第２設定温度（２６℃）を受け付ける。また、第２設定温度はリモコン１１から室内機１０へ出力され、室内機１０は第２設定温度による空調運転を開始する。また、同時に室内機１０は、第２設定温度を管理装置２の制御部２１を介して運転時間決定部１６へ出力する。
【００４２】
前述したように、運転時間決定部１６は第２設定温度が入力された時、運転時間管理部１８が出力する運転識別信号を確認する。この場合、運転識別信号は『第１設定温度で空調運転中』であるため、運転時間決定部１６は、式１と式２とを用いて第１運転時間（３０分）を算出し、この第１運転時間を運転時間記憶部１５に記憶させると共に、運転時間管理部１８へ出力する。
【００４３】
運転時間管理部１８は第１運転時間（３０分）が入力されると、運転識別信号を『第１設定温度で運転中』から『第２設定温度又は第３設定温度で運転中』に切り替えて運転時間決定部１６へ出力する。また、運転時間管理部１８はタイマー部１７に対して計時の開始を指示し、これに対応してタイマー部１７は計時を開始する。そして運転時間管理部１８は、タイマー部１７が計時した時間により第１運転時間の経過終了を監視する。同時に運転時間管理部１８は第１運転時間による空調運転の開始からの経過時間、つまり、タイマー部１７で計時している時間を逐次、運転時間決定部１６へ出力する。
【００４４】
そして、運転時間管理部１８はｔ２で第１運転時間が経過すると、つまり、タイマー部１７で計時した時間が第１運転時間に達すると、指示情報記憶部１９に記憶されている第１設定温度（２８℃）を制御部２１へ出力する。制御部２１は第１設定温度を室内機１０へ出力し、室内機１０は第１設定温度で空調運転を開始する。また、運転時間管理部１８は、運転識別信号を『第２設定温度又は第３設定温度で運転中』から『第１設定温度で運転中』に切り替えて運転時間決定部１６へ出力する。
【００４５】
さらに、運転時間管理部１８はユーザー指示運転終了の信号を制御部２１と室内機１０を介してリモコン１１の受付禁止部１１ｂへ出力する。これを受けた受付禁止部１１ｂは、設定温度受付部１１ａに対して以降の設定温度の受付禁止の指示を出力すると共に所定時間（１時間）の経過を待ち、次に設定温度受付部１１ａに対して以降の設定温度の受付許可の指示を出力する。この結果、ｔ２〜ｔ３の次操作禁止時間内でのリモコン１１による設定温度操作が禁止となる。
【００４６】
図４は室内機１０が冷房運転中における設定温度の変化を説明する説明図であり、設定温度が、ユーザーにより入力された第２設定温度による空調運転中に、さらにユーザーにより入力された第３設定温度に変更された場合の例を説明している。図４において横軸は時間であり、縦軸は温度である。また、破線が第１設定温度を、実線が室温を、長破線が室内機１０の空調運転に適用される第１設定温度又は第２設定温度又は第３設定温度をそれぞれ示している。また、ｔ１１〜ｔ１５は時刻である。
【００４７】
図４の説明において、前提条件として設定温度受付部１１ａは受付操作禁止となっておらず、また、指示情報記憶部１９は指示情報受付部２０で受け付けられた指示情報である運転モード（冷房）と第１設定温度（２８℃）を記憶している。このため制御部２１は、ｔ１１まで第１設定温度を室内機１０に指示し、室内機１０は第１設定温度で空調運転している。
【００４８】
この状態においてｔ１１でユーザーによってリモコン１１に第２設定温度（２６℃）が入力された場合、受付禁止部１１ｂは受付許可の状態であるため、設定温度受付部１１ａはユーザーにより入力された第２設定温度（２６℃）を受け付ける。また、第２設定温度はリモコン１１から室内機１０へ出力され、室内機１０は第２設定温度による空調運転を開始する。また、同時に室内機１０は、第２設定温度を管理装置２の制御部２１を介して運転時間決定部１６へ出力する。
【００４９】
そして図３で説明したように運転時間決定部１６は、式１と式２とを用いて第１運転時間（３０分）を算出し、この第１運転時間を運転時間記憶部１５に記憶させると共に、運転時間管理部１８へ出力する。
【００５０】
第１運転時間が入力された運転時間管理部１８は、運転識別信号を『第１設定温度で運転中』から『第２設定温度又は第３設定温度で運転中』に切り替えて運転時間決定部１６へ出力する。また、運転時間管理部１８はタイマー部１７に対して計時の開始を指示し、これに対応してタイマー部１７は計時を開始する。そして運転時間管理部１８は、タイマー部１７が計時した時間により第１運転時間の経過終了を監視する。同時に運転時間管理部１８は第１運転時間による空調運転の開始からの経過時間、つまり、タイマー部１７で計時している時間を逐次、運転時間決定部１６へ出力する。
【００５１】
図４においてｔ１２（ｔ１１から２０分後）にユーザーにより第３設定温度（２７℃）が入力されたため、設定温度受付部１１ａは第３設定温度を室内機１０へ出力し、室内機１０は第３設定温度で空調運転を開始する。また、同時に室内機１０は、第３設定温度を管理装置２の制御部２１を介して運転時間決定部１６へ出力する。
【００５２】
運転時間決定部１６は、第３設定温度が入力された時、運転時間管理部１８が出力する運転識別信号を確認する。この場合は『第２設定温度又は第３設定温度で運転中』であるため運転時間決定部１６は、式３〜式５を用いて第２運転時間（２０分）を算出し、この第２運転時間を運転時間記憶部１５に記憶させると共に、運転時間管理部１８へ出力する。
【００５３】
運転時間管理部１８はタイマー部１７に対して計時の開始を指示し、これに対応してタイマー部１７は計時を開始する。そして運転時間管理部１８は、タイマー部１７が計時した時間により第２運転時間の経過終了を監視する。同時に運転時間管理部１８は第２運転時間による空調運転の開始からの経過時間、つまり、タイマー部１７で計時している時間を逐次、運転時間決定部１６へ出力する。
【００５４】
そして、ｔ１４で第２運転時間が経過すると、つまり、タイマー部１７で計時した時間が第２運転時間に達すると、運転時間管理部１８は、指示情報記憶部１９に記憶されている第１設定温度（２８℃）を制御部２１へ出力する。制御部２１は第１設定温度を室内機１０へ出力し、室内機１０は第１設定温度で空調運転を開始する。また、運転時間管理部１８は、運転識別信号を『第２設定温度又は第３設定温度で運転中』から『第１設定温度で運転中』に切り替えて運転時間決定部１６へ出力する。
【００５５】
さらに、運転時間管理部１８はユーザー指示運転終了の信号を制御部２１と室内機１０を介してリモコン１１の受付禁止部１１ｂへ出力する。これに対応して受付禁止部１１ｂは、設定温度受付部１１ａに対して以降の設定温度の受付禁止の指示を出力すると共に所定時間（１時間）の経過を待ち、次に設定温度受付部１１ａに対して以降の設定温度の受付許可の指示を出力する。この結果、ｔ１４〜ｔ１５の次操作禁止時間内でのリモコン１１による設定温度操作が禁止となる。
【００５６】
以上説明したように、室内機１０が冷房運転中であれば指示情報受付部２０による第１設定温度よりもユーザーによる第２設定温度が低いほど、また、室内機１０が暖房運転中であれば第１設定温度よりも第２設定温度が高いほど第２設定温度による空調運転時間である第１運転時間が短くなるように運転時間決定部１６が決定して出力するため、快適性と省エネ性とを両立させることができる。
【００５７】
また、ユーザーにより入力された第２設定温度で空調運転中に、ユーザーにより第３設定温度が入力された場合でも快適性と省エネ性とを両立させることができる。
【００５８】
また、ユーザーにより入力された第２設定温度または第３設定温度による空調運転が終了してから所定期間だけ、ユーザーが設定する設定温度の受付を禁止する受付禁止部１１ｂを設けたため、ユーザーが設定する設定温度による継続的な空調運転を禁止して省エネ性が大きく損なわれないようにできる。
【００５９】
本実施例では運転時間を運転時間決定部１６で数式によって求めているが、これに限るものでなく、設定温度差に対応して運転時間が記憶されたテーブルから求めるようにしてもよい。
【００６０】
また、本実施例では管理装置２やリモコン１１に備えられた各部によって本発明を構成しているが、これに限るものでなく、通信接続された空気調和機の各機器のいずれかに各部が分散されて配置されていてもよい。
例えば、図２に示す管理装置２の機能をリモコン１１内に備えていてもよい。この場合指示情報受付部２０はリモコン１１の操作部１３から入力された第１設定温度や運転モードを受け付ける指示情報受付部となる。また、制御部２１はリモコン１１全体を制御するリモコン制御部１１ｃと兼用するとよい。
【符号の説明】
【００６１】
１  空気調和機のシステム
２  管理装置
３  通信線
１０  室内機
１１  リモコン
１１ａ  設定温度受付部（設定温度受付手段）
１１ｂ  受付禁止部（受付禁止手段）
１１ｃ  リモコン制御部
１２  表示部
１３  操作部
１５  運転時間記憶部（運転時間記憶手段）
１６  運転時間決定部（運転時間決定手段）
１７  タイマー部（計時手段）
１８  運転時間管理部（運転時間管理手段）
１９  指示情報記憶部（指示情報記憶手段）
２０  指示情報受付部（指示情報受付手段）
２１  制御部（制御手段）
３０  室内機
３１  リモコン
４０  室外機
【図１】
0006476624.tif 000002
【図２】
0006476624.tif 000003
【図３】
0006476624.tif 000004
【図４】
0006476624.tif 000005